(57)【要約】      （修正有）【課題】減圧された容器の抜栓時に内容物が飛散することのない注出キャップを提案する。【解決手段】キャップ本体１と、このキャップ本体の注出筒部１ａの内側に一体成形され単一の破断予定溝３に沿う引きちぎりによって注出開口を形成する密閉壁２と、この密閉壁に支柱５を介して接続し該密閉壁の引きちぎりを司るプルリング４と、前記キャップ本体に合わさり該注出開口を閉塞する蓋体６とを備えた注出キャップにおいて、前記破断予定溝を、前記支柱の接続基端にて周り込み比較的小さな湾曲を形成する引きちぎり開始端部と、この引きちぎり開始端部につながり注出筒部の内壁に平行に伸延する溝本体と、この溝本体につながり該引きちぎり開始端部の後方にて当接し該密閉壁の引きちぎりを完了させる終端部にて構成し、前記引きちぎり開始端部にはその引きちぎり動作を一旦停止する端縁を設ける。【選択図】図１
2006016023.tif 000002
【特許請求の範囲】
【請求項１】
注出筒部を有し容器の口部に固定保持されるキャップ本体と、このキャップ本体の注出筒部の内側に一体成形され単一の破断予定溝に沿う引きちぎりによって注出開口を形成する密閉壁と、この密閉壁に支柱を介して接続し該密閉壁の引きちぎりを司るプルリングと、前記キャップ本体に合わさり該注出開口を閉塞する蓋体とを備えた注出キャップであって、
前記破断予定溝は、前記支柱の接続基端にて周り込み比較的小さな湾曲を形成する引きちぎり開始端部と、この引きちぎり開始端部につながり注出筒部の内壁に平行に伸延する溝本体と、この溝本体につながり該引きちぎり開始端部の後方にて当接し該密閉壁の引きちぎりを完了させる終端部からなり、
前記引きちぎり開始端部は、密閉壁の引きちぎりに際してその引きちぎり動作を一旦停止する端縁を有することを特徴とする注出キャップ。
【発明の詳細な説明】
【技術分野】
【０００１】
本発明は、プルリングを介して密閉栓を引きちぎって開栓するタイプの合成樹脂製の注出キャップに関するものであり、該密閉栓の引きちぎり初期（抜栓時）に起こりがちな内容物の飛びはねを回避しようとするものである。
【背景技術】
【０００２】
破断予定溝に沿って密閉壁を引きちぎり注出開口を形成する注出キャップは、容器の不正な開封を防止することが可能であり、容器を高い密封状態に維持できることから、近年、食用油や醤油、飲料等を入れる容器等に多用されている（例えば特許文献１参照）。
【０００３】
【特許文献１】実開昭５７−２９５４６号公報
【０００４】
ところで、この種の注出キャップは、内容物が高温充填され容器内が減圧されているような状態で一気に抜栓された場合に、容器が復元する反動でもって内容物が飛散することがしばしば見受けられた。
【発明の開示】
【発明が解決しようとする課題】
【０００５】
本発明の課題は、上記のような抜栓時の内容物の飛びはねを回避できる新規な注出キャップを提案するところにある。
【課題を解決するための手段】
【０００６】
本発明は、注出筒部を有し容器の口部に固定保持されるキャップ本体と、このキャップ本体の注出筒部の内側に一体成形され単一の破断予定溝に沿う引きちぎりによって注出開口を形成する密閉壁と、この密閉壁に支柱を介して接続し該密閉壁の引きちぎりを司るプルリングと、前記キャップ本体に合わさり該注出開口を閉塞する蓋体とを備えた注出キャップであって、
前記破断予定溝は、前記支柱の接続基端にて周り込み比較的小さな湾曲を形成する引きちぎり開始端部と、この引きちぎり開始端部につながり注出筒部の内壁に平行に伸延する溝本体と、この溝本体につながり該引きちぎり開始端部の後方にて当接し該密閉壁の引きちぎりを完了させる終端部からなり、
前記引きちぎり開始端部は、密閉壁の引きちぎりに際してその引きちぎり動作を一旦停止する端縁を有することを特徴とする注出キャップである。
【発明の効果】
【０００７】
破断予定栓の引きちぎり開始端部は支柱の接続基端を巻き込んで比較的小さな湾曲が形成されており、その終端部は該開始端部の後方にて当接した左右非対称の平面形状になっているため、一定の力のもとで抜栓が開始されると密閉壁の引きちぎりは開始端部の端縁で一旦停止され、このとき容器内へ空気が流入して容器がともの形状に復元することとなるので内容物の飛び跳ねは起こらない。
【発明を実施するための最良の形態】
【０００８】
以下、図面を用いて本発明をより具体的に説明する。
図１は本発明にしたがう注出キャップの側面図であり、図２は図１のＡ視図（底面図）である。
【実施例１】
【０００９】
図において１は容器の口部にねじあるいはアンダーカット係合によって固定保持することができるキャップ本体である。このキャップ本体１は注出筒部１ａを有する。
【００１０】
また、２はキャップ本体１の注出筒部１ａの内側に一体成形される密閉壁、３は密閉壁２に設けられた単一の破断予定溝であり、この破断予定溝３に沿う引きちぎりによって注出開口を形成する。
【００１１】
４は密閉壁２の引きちぎりを司るプルリング、５はプルリング４を密閉壁２に接続する支柱、そして６はキャップ本体１にヒンジｈを介して揺動可能に合わさり注出開口を閉塞して液密状態に保持する蓋体である。
【００１２】
本発明にしたがう注出キャップは、図２に示すように、破断予定溝３が支柱５の接続基端にて周り込み比較的小さな湾曲を形成する引きちぎり開始端部３ａと、この引きちぎり開始端部３ａに連続的につながり注出筒部１ａの内壁に平行に伸延する溝本体３ｂと、この溝本体３ｂに連続的につながり引きちぎり開始端部３ａの後方にて当接して密閉壁２の引きちぎりを完了させる終端部３ｃからなっており、中心線Ｌを基準とした場合左右で非対称の形状を呈している。
【００１３】
図３は従来の破断予定溝の平面形状を示したものであり、中心線Ｌを境にして左右が対称の形状になるこの種の注出キャップは、抜栓時に一気に注出開口が形成されるため、空気の急激な流入に伴い容器が元の形状に復元しその時の反動でもって内容物が飛散するのは避けられないが、本発明にしたがう注出キャップは、抜栓時に密閉壁２の引きちぎりが引きちぎり開始端部３ａの端縁３ａ１において一旦停止され、引き続き溝本体３ｂ、さらに終端部３ｃへと引きちぎりが続いていくことになる。開始端部３ａでの引きちぎりの一旦停止に際して形成された極わずかな隙間から空気が容器内へ流入して容器が復元され、それ以降、密閉壁２を引きちぎっていっても内容物が飛散することはない。
【００１４】
図４（ａ）〜（ｃ）は、本発明にしたがう注出キャップの他の実施の形態を示したものである。
【００１５】
何れのものも、破断予定溝３の引きちぎり開始端部３ａは支柱５の接続基端にて周り込んで比較的小さな湾曲を形成し、その終端部３ｃが引きちぎり開始端部３ａの後方にて当接する食い違い形状になっており、抜栓時に密閉壁２が一気に引きちぎられることはないので内容物は飛散しない。
【００１６】
上記の構成になる注出キャップは、合成樹脂にて成形されるものであるが、樹脂の種類についてはとくに限定されない。
【産業上の利用可能性】
【００１７】
容器内が減圧された状態にあっても抜栓時に内容物が飛散することのない注出キャップが提供できる。
【図面の簡単な説明】
【００１８】
【図１】本発明にしたがう注出キャップの実施の形態を示した図である。
【図２】図１のＡ視図である。
【図３】従来の注出キャップの底面図である。
【図４】（ａ）〜（ｃ）は本発明にしたがう注出キャップの他の例を示した図である。
【符号の説明】
【００１９】
１  キャップ本体
１ａ  注出筒部
２  密閉壁
３  破断予定溝
３ａ  引きちぎり開始端部
３ｂ  溝本体
３ｃ  引きちぎり終端部
４  プルリング
５  支柱
６  蓋体
【図１】
2006016023.tif 000003
【図２】
2006016023.tif 000004
【図３】
2006016023.tif 000005
【図４】
2006016023.tif 000006